(57)【要約】【課題】タブレット型端末又は携帯電話等に、本発明で開発したアプリを事前にインストールし、これを使用するユーザーの行為によって、アプリの増減、他者へのデータ移動を操作させるとともに、このアプリの動きを本発明の装置を運用する者（運用者）が管理し、これをもって商取引の決済機能として代用させること。【解決手段】本発明で開発したアプリをインストールしたタブレット型端末又は携帯電話等を購入又は貸借した者がユーザーとなる。本発明の装置、提供プログラムを運用する者（運用者）と契約した販売者が提供する商品・サービスをユーザーが受けて、その対価を支払う際に、運用者が設置するサーバーにあるＷｅｂサイトにおいて、アプリデータをユーザーから販売者に移動させる。運用者は販売者に対し、販売者が受け取ったアプリデータの残高数に所定の金額を乗じた価額を支払う。これをもって商取引の決済機能として代用させること。【選択図】なし【特許請求の範囲】
【請求項１】
本発明におけるアプリとは、本発明の装置、提供プログラムを運用する者（運用者）が提供するタブレット型端末又は携帯電話等にインストールされたものであり、
アプリデータの移動を伴う際には、運用者が設置するサーバーにあるＷｅｂサイトにおいて、その履歴を管理し、
アプリがインストールされたタブレット型端末又は携帯電話等を購入又は貸借したユーザーの商取引の決済機能として代用させる提供装置、提供方法又は提供プログラム。
【請求項２】
本発明のアプリは、コピーをすることを制限し、
本発明の装置、提供プログラムを運用する者（運用者）が提供するタブレット型端末又は携帯電話等、運用者が設置するサーバーにあるＷｅｂサイトにおいてのみで稼動し、
これらの間をアプリデータが移動することにより、アプリの残高数をもってユーザーの商取引の決済機能として代用させる提供装置、提供方法又は提供プログラム。
【請求項３】
本発明の装置、提供プログラムを運用する者（運用者）は、本発明のアプリをインストールしたタブレット型端末又は携帯電話等を販売又は貸与し、これを購入又は貸借したユーザーが、運用者と契約した販売者との商取引において、
販売者がユーザーに提供する商品・サービスの対価として、ユーザーはタブレット型端末又は携帯電話等にあるアプリデータを、運用者が設置するサーバーにあるＷｅｂサイトの管理画面にアプリデータを移動させ、
運用者は、販売者のアプリデータの残高数に所定の金額を乗じた価額で商品・サービスを購入することで、
ユーザーと販売者との商取引の決済機能として代用させる提供装置、提供方法又は提供プログラム。
【請求項４】
本発明のアプリをインストールしたタブレット型端末又は携帯電話等を購入又は貸借したユーザーは、運用者が契約した販売者との商取引において、販売者がユーザーに提供する商品・サービスの対価として、移動したアプリデータの残高数が少なくなり、これを増やしたいと考えた場合、運用者が指定した装置と方法によってアプリのデータを購入する提供装置、提供方法又は提供プログラム。
【請求項５】
本発明のアプリをインストールしたタブレット型端末又は携帯電話等を購入したユーザーは、運用者が契約した販売者との商取引において、販売者がユーザーに提供する商品・サービスの対価として、アプリデータを運用者が設置するサーバーにあるＷｅｂサイトの販売者の管理画面に移動するが、
その後、タブレット型端末又は携帯電話等とアプリの残高データを換金したい場合において、これを運用者に返品することにより、運用者は受け取ったアプリデータの残高数に所定の金額を乗じた価額をユーザーに返金することにより、
一連の商取引の決済機能として代用させる提供装置、提供方法又は提供プログラム。
【請求項６】
本発明のアプリをインストールしたタブレット型端末又は携帯電話等を貸借して預かり金を支払ったユーザーは、運用者が契約した販売者との商取引において、販売者がユーザーに提供する商品・サービスの対価として、アプリデータを運用者が設置するサーバーにあるＷｅｂサイトの販売者の管理画面に移動するが、
その後、タブレット型端末又は携帯電話等とアプリの残高データを支払い済みの預かり金を使って精算したい場合において、これを運用者へ支払うことにより精算し、
運用者は受け取ったアプリデータの残高数に所定の金額を乗じた価額を、販売者に支払うことにより、
一連の商取引の決済機能として代用させる提供装置、提供方法又は提供プログラム。
【請求項７】
本発明の装置、提供プログラムを運用する者（運用者）は、本発明のアプリをインストールしたタブレット型端末又は携帯電話等のみを介して、運用者が設置するサーバーにあるＷｅｂサイトの情報をユーザーに提供させることができ、
運用者は、ユーザーに対して、ユーザーの購買意欲を高めるような情報又はコンテンツのサービスを提供する装置、提供方法又は提供プログラム。
【請求項８】
前項の運用者は、本発明のアプリをインストールしたタブレット型端末又は携帯電話等のみを介して、運用者が設置するサーバーにあるＷｅｂサイトの情報をユーザーに提供させることができ、
運用者は、ユーザーに情報又はコンテンツのサービスを提供したい者の意思を受けてこれらを制作し提供することができる方法又は提供プログラム。
【発明の詳細な説明】
【技術分野】
【０００１】
本発明は、本発明のアプリをインストールしたタブレット型端末又は携帯電話等のみを介して、ユーザーが、本発明の装置、提供プログラムを運用する者（運用者）と契約した販売者が提供する商品・サービスを受けて、その対価を支払う際に、アプリデータを移動させることにより、ユーザーの商取引の決済機能として代用するサービスを提供する装置、方法およびプログラムに関する。
【背景技術】
【０００２】
タブレット型端末又は携帯電話等を活用したアプリは、ユーザーの利便性を増すための機能を提供するものである。これらの中には、ユーザーの商取引を円滑化するために、決済機能があり、クレジット会社をはじめ多くの企業がこれらのサービスを提供している。
【０００３】
タブレット型端末又は携帯電話等を活用した商取引の決済機能は、ユーザーが持つ口座からの引落し又は事前に納めたプリペイド方式によるデータの書き換えにより計算する方式などが既に実施されているが、これらの決済機能を完結させるためには、金融機関との提携、当該方式を稼動させるためのソフトウェアの開発、その他の提供装置、提供方法又はプログラム等を必要としている。
【０００４】
タブレット型端末又は携帯電話等を活用したアプリは、当該端末との親和性があるコンピューター言語でプログラミングされるものであるが、端末の違いによりプログラミング言語の互換性がない場合があり、当該方式に合致したプログラミングをする必要がある。
【０００５】
本発明の背景技術としては、ユーザーが行う商取引を会計的な観点から解釈を変えることから始まり、この観点に沿ったタブレット型端末又は携帯電話等を活用したアプリ管理・コンテンツ管理における提供装置、提供方法又は提供プログラムである。
【発明の概要】
【発明が解決しようとする課題】
【０００６】
本発明は、タブレット型端末又は携帯電話等から、本発明の装置、提供プログラムを運用する者（運用者）が設置するサーバーにあるＷｅｂサイトの管理画面にアプリのデータを移動させるため、当該システムを統一的に作動させるコンピューター言語でプログラミングする必要がある。
【０００７】
従来、タブレット型端末又は携帯電話等を活用した商取引の決済機能を提供する者は、当該決済機能を介して成立した商取引の売上金の一部を販売者から手数料としてもらうことから、この決済機能の提供装置、提供方法又は提供プログラムに万全を期す必要があり、そのために多額の費用を支出していた。
【０００８】
そこで、タブレット型端末又は携帯電話等を活用した商取引の決済機能を有し、ユーザーの利便性を保ちつつ、従来よりも安価、簡易的にこれらの機能を提供することができる新たな手法が課題となる。
【０００９】
商取引の決済機能は、当事者が行う商取引を会計法の会計規則上、どのようにこれらを解釈するかによって定まる。
【００１０】
前項の会計法の会計規則上の解釈は、当事者が行った商取引等がどのような行為であったかを、当事者間で定める規約等により外形的に判断する。
【００１１】
タブレット型端末又は携帯電話等を活用した商取引の決済機能は、ユーザーの個人情報を取り扱うことから、情報管理に万全を期す必要性がある。
【００１２】
前項の情報管理方法は、当事者間で定める規約で明示する。
【課題を解決するための手段】
【００１３】
タブレット型端末又は携帯電話等を活用したアプリ管理・コンテンツ管理における提供装置、提供方法又は提供プログラムは、ユーザーと、本発明の装置、提供プログラムを運用する者（運用者）が契約した販売者（通信販売者を含む）との間の商取引において、
当事者の会計的取引の解釈を変更し、この図式をもとに提供装置、提供方法又は提供プログラムの体系を作っていくことを特徴とする。
【００１４】
前項におけるタブレット型端末又は携帯電話等を活用するユーザーは、本発明の装置、提供プログラムを運用する者（運用者）が提供するタブレット型端末又は携帯電話に事前にインストールしたアプリを購入又は貸借することを特徴とする。この取引は会計法の会計規則に従って計上される。
【００１５】
タブレット型端末又は携帯電話等を活用した商取引の決済機能は、ユーザーの利便性を向上させ、これをもってユーザーの購買意欲を喚起することで、販売者の売上増に貢献することから、これをもって手数料として売上金額の一部を、決済機能を提供する者が受け取ることを特徴とする。
【００１６】
タブレット型端末又は携帯電話等を活用するユーザーと、本発明の装置、提供プログラムを運用する者（運用者）が契約した販売者（通信販売者を含む）との間の商取引において、
ユーザーが商品・サービスを選び、販売者（通信販売者を含む）がこれを提供する。
これらの価額に充当するアプリデータをユーザーが販売者（通信販売者を含む）に渡す。
この商取引における行為は、販売者（通信販売者を含む）が、運用者が指定する者に対して商品を前渡しするということを特徴とする。
【００１７】
本発明の装置、提供プログラムを運用する者（運用者）と、運用者が契約した販売者（通信販売者を含む）との間の商取引において、
販売者がユーザーに提供した商品・サービスの対価として、ユーザーから本発明のアプリデータを提供される。
運用者は、販売者がユーザーから提供されたアプリデータの残高数に応じて、予め定めた金額を乗じた価額を、運用者が販売者に金銭で支払う。
この商取引における行為は、運用者及び販売者のそれぞれの取引として会計法上の会計規則に従って計上される。
【００１８】
運用者が契約した販売者（通信販売者を含む）が、タブレット型端末又は携帯電話等を活用するユーザーに提供した商品・サービスにおいて、
製造者責任における権利又は商品保証における権利は、商品・サービスを購入した運用者からユーザーにその権利を譲渡されることを特徴とする。
【００１９】
前項の商取引においては、会計取引上の商品・サービスの購入者は運用者であるが、運用者が持つアフターサービス、商品保証等の権利はユーザーが引き継ぐことを特徴とする。
【００２０】
タブレット型端末又は携帯電話等を運用者から購入又は賃借しているユーザーが、別途に運用者が定める規約によりこれらの使用を必要としなくなった場合、タブレット型端末又は携帯電話等を運用者に対し、返品することを特徴とする。
【００２１】
前項において、タブレット型端末又は携帯電話等を購入又は賃借しているユーザーが、これを運用者に返品する場合、タブレット型端末又は携帯電話等のアプリの残高データに基づいて、返金又は精算することを特徴とする。
【００２２】
ユーザーがタブレット型端末又は携帯電話等とアプリを運用者に返品し、運用者がユーザーに返金又は精算をする。この取引は会計法上の会計規則に従って計上される。
【００２３】
タブレット型端末又は携帯電話等を活用した商取引の決済において発生する個人情報は、ユーザー、運用者、販売者（通信販売者を含む）を当事者とすることを特徴とする。
【００２４】
タブレット型端末又は携帯電話等を活用した商取引の決済において、本発明の装置を運用する者（運用者）が管理すべき個人情報は、タブレット型端末又は携帯電話等をユーザーに販売、貸与する際に別途の規約で定める情報に限られることを特徴とする。
【００２５】
タブレット型端末又は携帯電話等を活用した商取引の決済において、本発明の装置を運用する者（運用者）が契約した販売者（通信販売者を含む）が管理すべき個人情報は、タブレット型端末又は携帯電話等をユーザーに提供した商品・サービスの内容に関することを特徴とする。
【００２６】
タブレット型端末又は携帯電話等を活用した商取引の決済において、ユーザーが管理すべき個人情報は、自らの商取引に関すること及びユーザーが運用者と別途の規約で定める内容であることを特徴とする。
【００２７】
タブレット型端末又は携帯電話等を活用した商取引において、本発明の装置を運用する者（運用者）が契約した販売者（通信販売者を含む）がユーザーに提供する商品・サービスの所有権は、この商取引が行われたことによる新たな占有者が持つことを特徴とする。
【００２８】
タブレット型端末又は携帯電話等を活用した商取引において、本発明の装置を運用する者（運用者）が契約した販売者（通信販売者を含む）がユーザーに提供する商品・サービスの債権債務は、この商取引が完了したことにより終了することを特徴とする。
【００２９】
タブレット型端末又は携帯電話等を活用したアプリ管理・コンテンツ管理における提供装置、提供方法又は提供プログラムの実現は、従来の商品取引決済機能のプログラムに対して、モジュール化したソフトウェアの開発をやって、付加機能としてこれらを実現することを特徴とする。
【発明の効果】
【００３０】
タブレット型端末又は携帯電話等を活用した商取引をすることによって、ユーザーの購買意欲を高め消費拡大につなげることができる。
【００３１】
本発明に係るタブレット型端末又は携帯電話等を活用したアプリ管理・コンテンツ管理における提供装置、提供方法又は提供プログラムによって、ユーザーの商取引の決済機能を簡便に、低予算で実現することができる。
【００３２】
本発明に係るタブレット型端末又は携帯電話等を活用したアプリ管理・コンテンツ管理における提供装置、提供方法又は提供プログラムによって、ユーザーの利便性を向上させ、購買意欲を高める情報及びサービス提供を増やすことができる。
【００３３】
本発明に係るタブレット型端末又は携帯電話等を活用したアプリ管理・コンテンツ管理における提供装置、提供方法又は提供プログラムによって、ユーザーの商取引における消費行動の傾向を知るためのデータを集めることができる。
【００３４】
前項のデータを分析することにより、ユーザーの消費行動に適した商品・サービスの開発に役立てることができる。
【００３５】
タブレット型端末又は携帯電話等を活用した商取引をすることによって、ユーザーの購買意欲を高めるような情報及びサービスを提供することができ、地域の売上増につなげることができる。
【発明を実施するための形態】
【００３６】
本発明を実施するための最良の形態は、タブレット型端末又は携帯電話等を活用した商取引の決済機能を実践することにより、ユーザーの利便性を高め、本発明の運用者が居住する地域の売上増に貢献することである。
【００３７】
タブレット型端末又は携帯電話等にインストールされるアプリは、運用者が設置するサーバーにあるＷｅｂサイトの管理画面にのみ表示、確認することができるようプログラミングによって制御されている。
【００３８】
前項のアプリはデータの移動回数をプログラミングによって制御されている。
【００３９】
前項のアプリは単位ごとに認識番号が割り振られ、コピーをすることができない。
【００４０】
前項のアプリは本発明で提供するＷｅｂサイト又はアプリをインストールしたタブレット型端末又は携帯電話等でしか使用することができない。    
【００４１】
運用者が設置するサーバーにあるＷｅｂサイトは、本発明が提供するタブレット型端末又は携帯電話等でのみアクセスできるよう制御されている。
【００４２】
運用者が設置するサーバーにあるＷｅｂサイトへのアクセス権は、タブレット型端末又は携帯電話等の認識番号とプログラミングによって制御されている。
【００４３】
運用者が設置するサーバーにあるＷｅｂサイトは、本発明が提供するアプリ管理・コンテンツ管理における提供装置、提供方法又は提供プログラムを稼動させるものである。
【００４４】
運用者が設置するサーバーにあるＷｅｂサイトは、前項のタブレット型端末又は携帯電話等以外からのアクセスを禁止することにより、本発明の運用で生じる個人情報の流出を防御する。
【００４５】
運用者とは、本発明のタブレット型端末又は携帯電話等を活用したアプリ管理・コンテンツ管理における提供装置、提供方法又は提供プログラムを、発明者との契約に基づいて活用する者である。
【００４６】
運用者とは、本発明のタブレット型端末又は携帯電話等を活用したアプリ管理・コンテンツ管理における提供装置、提供方法又は提供プログラムを活用し、運用に関して責任と義務を負う者である。
【００４７】
運用者は、本発明のタブレット型端末又は携帯電話等を、ユーザーに販売又は貸与し、ユーザーと運営者が契約した販売者（通信販売者を含む）との商取引の決済機能を代用し、これらのサービスを提供する者である。
【００４８】
運用者の権限については、本発明の発明者と契約によって定める。
【００４９】
運用者の収益構造は、タブレット型端末又は携帯電話等を活用したアプリ管理・コンテンツ管理における提供装置、提供方法又は提供プログラムを活用したユーザーの商取引の決済機能に係るもののほか、コンテンツ提供に係るものがある。
【００５０】
前項のモデルのほか、運用者は本発明に付随したサービスを活用して、自らの収益構造を構築することができる。
【００５１】
本発明の装置を運用する者（運用者）は自らのビジネスモデルを構築する上で、本発明の提供装置、提供方法又は提供プログラムを活用して新規の仕組みをつくることができる。
【００５２】
運用者が設置するサーバーにあるＷｅｂサイトの運営方法に関して、ユーザーからの質問等があった場合、運用者はこれに誠実に答える。ただし、質問数が多い場合には、運営者の判断で質問を選んでその答えを明らかにすることがある。
【００５３】
タブレット型端末又は携帯電話等は、既存の商品を提供する。
【００５４】
既存のタブレット型端末又は携帯電話等に本発明で開発するアプリをインストールしたものを活用する。
【００５５】
タブレット型端末又は携帯電話等は、発明者が本発明を活用することを契約した運用者のよってユーザーに販売又は貸与されるものである。
【００５６】
本端末を使うことで、ユーザーの行動様式が把握できることから、これらの情報は売上高を伸ばしたい販売者（通信販売者を含む）にとって有益な情報となることから、ユーザー自身がこれらの情報を販売者（通信販売者を含む）に提供し新たな便益を望む場合、別途に定める運用方式によりこれを運用する。
【００５７】
ユーザーが、本発明で開発したアプリをインストールしたタブレット型端末又は携帯電話等を購入した場合、ユーザーが一定期間内の転売・処分等の行為を禁止することを、運用者は契約において定めることができる。
【００５８】
ユーザーが、本発明で開発したアプリをインストールしたタブレット型端末又は携帯電話等を購入し、これを破損した場合、別途に定める規約によって処置することができる。
【００５９】
ユーザーが、本発明で開発したアプリをインストールしたタブレット型端末又は携帯電話等を貸借した場合、ユーザーが一定期間内の転貸・処分等の行為を禁止することを、運用者は契約において定めることができる。
【００６０】
ユーザーが、本発明で開発したアプリをインストールしたタブレット型端末又は携帯電話等を貸借し、これを破損した場合、別途に定める規約によって処置することができる。
【００６１】
本発明は、タブレット型端末又は携帯電話等を活用し商取引を円滑に行うための提供装置、提供方法又は提供プログラムである。
【００６２】
本発明は、タブレット型端末又は携帯電話等を活用し商取引をすることで、ユーザーは通常の商取引よりも有利な取引条件でこれを行う仕組みである。
【００６３】
本発明のタブレット型端末又は携帯電話等を活用するユーザーとは、本発明の仕組みによって消費をするであろうと、運用者が認めた者である。
【００６４】
運用者が別途定める規約等に従って本発明の提供装置を提供された者がユーザーとなる。
【００６５】
本発明でのタブレット型端末又は携帯電話等を活用して行う商取引は、運用者が別途に定める運営規程によって実施する。
【００６６】
ユーザーの資格は、運用者が別途定める規約等によって選択することができる。
【００６７】
ユーザーは身分証明書又は旅券等を本発明の装置を運用する者（運用者）に掲示して、運用者が別途に定める規約により、本発明で開発したアプリをインストールしたタブレット型端末又は携帯電話等を購入又は貸借することができる。
【００６８】
本発明の装置を運用する者（運用者）は、タブレット型端末又は携帯電話等を購入又は貸借するユーザーに対し、販売者がユーザーに提供する商品・サービスの商取引を円滑化するためのＷｅｂサイトの管理ページ（マイページ）及び本発明の仕組みで行う商取引に必要な装置、方法又はプログラムを提供する。
【００６９】
前項のサイトは、運用者が定める運営規定によって運営し、ユーザーはこれを遵守する。
【００７０】
運用者は自らが設置するＷｅｂサイトへの管理ページ（マイページ）の個別ＵＲＬをユーザーに与える。
【００７１】
前項のＷｅｂサイトのユーザーの管理ページ（マイページ）のＵＲＬアドレスは暗号化するか又はプログラミングする方法によって管理し、本発明で開発したアプリをインストールしたタブレット型端末又は携帯電話等からアクセスできるようする。
【００７２】
Ｗｅｂサイトのユーザーの管理ページ（マイページ）において、ユーザーは運用者が提供するアプリ管理・コンテンツ管理における提供装置、提供方法又は提供プログラムを活用する。
【００７３】
前項のＷｅｂサイトのユーザーの管理ページ（マイページ）において、ユーザーはタブレット型端末又は携帯電話等が持つ機能（写真撮影、動画撮影、録音）のほか、本発明が新たに提供するアプリの機能を使ったデータを蓄積し、これを管理することができる。
【００７４】
ユーザーのＷｅｂサイトへの管理ページ（マイページ）の規定は、運用者がこれを定め、ユーザーはこれを遵守する。
【００７５】
本発明の提供装置、提供方法又は提供プログラムで行う商取引は、本発明を運用する者が準備するタブレット型端末又は携帯電話等、運用者が設置するサーバーにあるＷｅｂサイト活用して行うものである。
【００７６】
前項のＷｅｂサイトに記載されている内容はインターネット上の用語検索サービスの対象とならないようにプログラミングで制御する。
【００７７】
タブレット型端末又は携帯電話等を活用したアプリ管理・コンテンツ管理を実現するサイトの体系とは、サイト運営の設定の仕方によって当該サイトをどのような方向性を持って運営するかなどを戦略に応じて決定していく。
【００７８】
運用者が設置するサーバーにあるＷｅｂサイトは、運用者が契約する販売者個々の管理画面を持ち、販売者（通信販売者を含む）がユーザーに商品・サービスを提供したことの対価として提供されたアプリデータを管理することを特徴とする。
【００７９】
前記のサイトのベージビューの総量が増えることにより、購買意欲が高いユーザーが活用するサイトとしての広告価値が高まる。
【００８０】
前記のサイトでは、ユーザーに映像やコンテンツを使って広告を掲載することができるが、広告の掲載契約は運用者と広告主が契約の当事者となる。料金及び支払い方法等については、契約に定めるものとする。
【００８１】
当該サイトにおいて、ユーザーが管理するマイページに対しては、どのような商品・サービスを購入したか、どのようなサイトのサービスを使用したかなどを計測し、これにより別途に定める新たなサービスをユーザーに提供する。
【００８２】
ユーザーアクセスし管理するサイトでは、ユーザーに対して以下のような機能を提供する。
１．メール、メッセージ、コメント機能を使って他者に情報取得を呼びかけること
２．情報発信の際に、リンクを付けてそこから当該情報を取得させること（ＵＲＬの添付を含む）
３．その他運営規程において、情報宣伝に該当すると取り決めた行為
【００８３】
本発明を活用した仕組みで商品・サービスを販売する者は、本発明の装置を運用する者（運用者）との契約により、それを許された者である。
【００８４】
本発明の装置を運用する者（運用者）は、販売者に対し、販売者がユーザーに商品・サービスを提供するのに活用するＷｅｂサイトの管理ページ（マイページ）及び本発明の仕組みで行う商取引に必要な装置、方法又はプログラムを提供する。
【００８５】
前項のサイトは、運用者が定める運営規定によって運営し、販売者はこれを遵守する。
【００８６】
運用者は自らが設置するＷｅｂサイトへの管理ページ（マイページ）の個別ＵＲＬを販売者に与える。
【００８７】
前項のＷｅｂサイトの販売者の管理ページ（マイページ）のＵＲＬアドレスは暗号化するか又はプログラミングする方法によって管理し、本発明で開発したアプリをインストールしたタブレット型端末又は携帯電話等からアクセスできるようにして、アプリデータの移動に活用する。
【００８８】
販売者がユーザーとの商取引において、前項で説明した方法により取引の決済機能代用のため、タブレット型端末又は携帯電話等のアプリデータを販売者の管理ページ（マイページ）に移動した後に、この商取引をキャンセルした場合、
販売者は自らの管理ページに蓄積したアプリデータをユーザーのタブレット型端末又は携帯電話等へ移動させる。
【００８９】
販売者は、運用者が定める方法により、タブレット型端末又は携帯電話等を購入又は貸借するユーザーに対し、ユーザーの購買意欲を高めるようなコンテンツを提供することができる。
【００９０】
前項のコンテンツは、本発明が提供するタブレット型端末又は携帯電話等、運用者が指定したＷｅｂサイト上で再生できるようプログラムで制御している。
【００９１】
販売者は、自らが提供する商品・サービスの価格を計算するレジスターに表示し、この金額をユーザーに示した上で、ユーザーが使用するタブレット型端末又は携帯電話等のアプリデータをネット回線を使用して、販売者のＷｅｂ上の管理サイトへデータを送信してアプリデータを移動する。
【００９２】
本発明の装置を運用する者（運用者）は、通信販売者に対し、通信販売者がユーザーに商品・サービスを提供するのに活用するＷｅｂサイトの管理ページ（マイページ）及び本発明の仕組みで行う商取引に必要な装置、方法又はプログラムを提供する。
【００９３】
前項のサイトは、運用者が定める運営規定によって運営し、通信販売者はこれを遵守する。
【００９４】
運用者は自らが設置するＷｅｂサイトへの管理ページ（マイページ）の個別ＵＲＬを通信販売者に与える。
【００９５】
前項のＷｅｂサイトの通信販売者の管理ページ（マイページ）のＵＲＬアドレスは暗号化するか又はプログラミングする方法によって管理し、本発明で開発したアプリをインストールしたタブレット型端末又は携帯電話等からアクセスできるようにして、アプリデータの移動に活用する。
【００９６】
通信販売者がユーザーとの商取引において、前項で説明した方法により取引の決済機能代用のため、タブレット型端末又は携帯電話等のアプリデータを通信販売者の管理ページ（マイページ）に移動した後に、この商取引をキャンセルした場合、
通信販売者は自らの管理ページに蓄積したアプリデータをユーザーのタブレット型端末又は携帯電話等へ移動させる。
【００９７】
通信販売者がユーザーとの商取引において、前項で説明した方法により取引の決済機能代用のため、タブレット型端末又は携帯電話等のアプリデータを通信販売者の管理ページ（マイページ）に移動した後に、この商取引をキャンセルした場合、
通信販売者は自らの管理ページに蓄積したアプリデータをユーザーのタブレット型端末又は携帯電話等へ移動させる。
【００９８】
通信販売者は、運用者が定める方法により、タブレット型端末又は携帯電話等を購入又は貸借するユーザーに対し、ユーザーの購買意欲を高めるようなコンテンツを提供することができる。
【００９９】
前項のコンテンツは、本発明が提供するタブレット型端末又は携帯電話等、運用者が指定したＷｅｂサイト上で再生できるようプログラムしている。
【０１００】
タブレット型端末又は携帯電話等を活用した映像コンテンツ及びアプリコンテンツは、ユーザーの購買意欲を高めたり、ユーザーにとって有益であるだろうと、本発明の運用者が判断した内容を映像等のコンテンツで表現する。
【０１０１】
前項の映像等の表現方法は運用者又は運用者が認めた販売者、通信販売者等の手法に任せるが、この映像等のコンテンツについては、当該サイトの運営規程に従って違反事項等を決定する。
【０１０２】
当該サイトが提供する映像発信画面は、映像が再生している間は画面を最小化することができない構造となる。このために、当該映像発信画面は他のサイトと同時に見ることができない。
【０１０３】
本発明で運用するＷｅｂサイトで再生されるコンテンツデータは、運用者が定める方法で著作、制作したものでなければならない。仮に、当該コンテンツが当事者の著作物でなく他者の作品の盗用であった場合には、運営規程に従って罰則を与える。
【０１０４】
当該サイトにおいて、ユーザーとのマッチング及び広告により自らの宣伝を行うために、有料で情報提供をする者あるいは有料で当該サイトのアクセス権を取得する者のことを、スポンサーと呼ぶ。
【０１０５】
前項のスポンサーの中には、営利企業、公共団体、組合、自治体、その他の団体、個人などが含まれる。
【０１０６】
スポンサーが当該サイトに提供するコンテンツについては、著作権はスポンサーに帰属するが、当該コンテンツの使用権は本発明の運用者が独占的に有する。また、スポンサーは当該コンテンツの著作人格権を行使しないものとする。
【０１０７】
スポンサーは、運用者との契約を締結することで、指定の金額を支払い、広告の掲載及びアクセス権の取得などを行う。
【０１０８】
協力ユーザーは主に、各分野の専門知識や体験を有する者で、当該サイトの利便性を高める上においても有益と思われる情報を提供できる者である。協力ユーザーの交渉等は運用者が行う。
【０１０９】
前項のほか、当該サイトの当事者（ユーザー、販売者、通信販売者）からの要望がある場合、運用者の判断で、新たな協力ユーザーを求める場合がある。
【０１１０】
スポンサー又は協力スポンサーには、Ｗｅｂ上の管理画面（マイページ）を原則付与し、当事者で管理する。
【０１１１】
前項の契約期間は任意であり、これらの細かい取り決めについては別途の契約により定めるものとする。